(57)【特許請求の範囲】
【請求項１】
一方面体と他方面体で形成され、前記一方面体の端縁に折曲自在に設けられたフラップで開口を塞ぐ封筒であって、
前記一方面体と前記フラップの間の折曲線に略沿って、又は、前記フラップにおける前記折曲線の近傍に、折曲側破断線が設けられ、
前記他方面体における、前記他方面体に折り重なった前記フラップの先端縁が重なる箇所と前記折曲側破断線の間（前記他方面体に折り重なった前記フラップの先端縁が重なる箇所及び前記折曲側破断線上を除く）に、先端側破断線が設けられ、
前記一方面体に設けられた前記フラップを挟む２つの角部のうち少なくとも１つの角部において、前記折曲側破断線から前記一方面体に亘る切込線が設けられ、
前記切込線における前記折曲側破断線寄りの端は、前記折曲線の端から所定距離の位置にあり、
前記切込線は、前記所定距離の位置から、前記一方面体における、前記フラップが設けられた端縁とで前記角部をなす端縁に近接する向きに、前記角部をなす端縁に対し斜めに延びていて、
前記折曲側破断線の長さは、前記折曲線より短く、
前記折曲側破断線における、前記切込線が設けられた前記角部寄りの端は、前記折曲線の端から前記所定距離の位置にあり、
前記切込線は、前記折曲側破断線における、前記切込線が設けられた前記角部寄りの端から、前記一方面体に亘っていて、
前記切込線と前記角部をなす端縁の間の部分が、つまみ部となっていることを特徴とする封筒。
【請求項２】
前記切込線の長さは、前記角部をなす端縁までの長さである、又は、前記角部をなす端縁に近接するように延びるものの前記角部をなす端縁までには届かない長さであることを特徴とする請求項１に記載の封筒。
【請求項３】
前記切込線は、略直線状であることを特徴とする請求項１又は２に記載の封筒。
【請求項４】
前記切込線は、１本であることを特徴とする請求項１〜３の何れか１項に記載の封筒。
【発明の詳細な説明】
【技術分野】
【０００１】
本発明は、一方面体と他方面体で形成され、前記一方面体の端縁に折曲自在に設けられたフラップで開口を塞ぐ封筒に関するものである。
【背景技術】
【０００２】
従来、郵便封筒の受取人が、ハサミやナイフなど道具を使用せず簡単に開封ができるようにした、引き破り開封口の付いた封筒が知られている（特許文献１）。
この封筒は、封筒本体に、２列の任意形状のミシン目状切込線で形成された、開封口を設けた引き破り開封口が付いている。
【０００３】
又、従来、開口部を折り返えして塞ぐための開口側舌片が設けられ、この開口側舌片が接着剤を介して封筒の開口部側の外表面に接着される封筒が知られている（特許文献２）。
この封筒は、封筒の開口部側に沿って開封用のミシン目が形成され、開口側舌片はこれを折り返して開封用のミシン目を覆うように接着される。
【先行技術文献】
【特許文献】
【０００４】
【特許文献１】実開平６−３５１３９号公報
【特許文献２】国際公開第０１／２８８７８号
【発明の開示】
【発明が解決しようとする課題】
【０００５】
しかしながら、特許文献１に記載された封筒は、２列の任意形状のミシン目状切込線で形成された開封口を引き破って開封するため、開封口から中身を取り出す際に、当該中身が、開封口周りの封筒本体やのりしろ部に引っかかり易く、中身を取り出し難い問題がある。
更に、特許文献１の封筒は、ミシン目状切込線が当該封筒の外部に露出しているため、封筒の配送中に何かの拍子でミシン目状切込線が破損して、不本意ながらも開封口が開いてしまう虞がある。
【０００６】
一方、特許文献２に記載された封筒は、開口側舌片の外周側端部を指でつまんで開封しようとすると、開口側舌片は封止用の接着剤を介してミシン目の部分を引っ張ることで開封されるものの、特許文献２の封筒に、ケント紙等の丈夫な紙を用いず、クラフト紙等の紙質の弱い紙を用いた場合には、開口側舌片からその外周側端部が破れ易く、ミシン目の部分を引っ張って開封することが出来ない虞があるとも言える。
又、特許文献２の封筒がケント紙等の丈夫な紙を用いた場合、その丈夫さの分だけ厚みが増すため、ミシン目の形成が困難となり、ミシン目形成のみを行う工程が必要となって、製造効率の低下やコスト高を招くとも言える。
【０００７】
本発明は、このような点に鑑み、折曲線に略沿う等する折曲側破断線を設け、他方面体におけるフラップ先端縁が重なる箇所と折曲側破断線の間に先端側破断線を設けることによって、「中身の取出容易化」と「不本意な開封の抑制」などを実現できる封筒を提供することを目的とする。
【課題を解決するための手段】
【０００８】
本発明に係る封筒１は、一方面体と他方面体で形成され、前記一方面体の端縁に折曲自在に設けられたフラップで開口を塞ぐ封筒であって、前記一方面体と前記フラップの間の折曲線に略沿って、又は、前記フラップにおける前記折曲線の近傍に、折曲側破断線が設けられ、前記他方面体における、前記他方面体に折り重なった前記フラップの先端縁が重なる箇所と前記折曲側破断線の間（前記他方面体に折り重なった前記フラップの先端縁が重なる箇所及び前記折曲側破断線上を除く）に、先端側破断線が設けられ、前記一方面体に設けられた前記フラップを挟む２つの角部のうち少なくとも１つの角部において、前記折曲側破断線から前記一方面体に亘る切込線が設けられ、前記切込線における前記折曲側破断線寄りの端は、前記折曲線の端から所定距離の位置にあり、前記切込線は、前記所定距離の位置から、前記一方面体における、前記フラップが設けられた端縁とで前記角部をなす端縁に近接する向きに、前記角部をなす端縁に対し斜めに延びていて、前記折曲側破断線の長さは、前記折曲線より短く、前記折曲側破断線における、前記切込線が設けられた前記角部寄りの端は、前記折曲線の端から前記所定距離の位置にあり、前記切込線は、前記折曲側破断線における、前記切込線が設けられた前記角部寄りの端から、前記一方面体に亘っていて、前記切込線と前記角部をなす端縁の間の部分が、つまみ部となっていることを第１の特徴とする。
【０００９】
本発明に係る封筒１の第２の特徴は、上記第１の特徴に加えて、前記切込線の長さは、前記角部をなす端縁までの長さである、又は、前記角部をなす端縁に近接するように延びるものの前記角部をなす端縁までには届かない長さである点にある。
【００１０】
本発明に係る封筒１の第３の特徴は、上記第１又は２の特徴に加えて、前記切込線は、略直線状である点にある。
【００１１】
本発明に係る封筒１の第４の特徴は、上記第１〜３の特徴に加えて、前記切込線は、１本である点にある。
【００１３】
これらの特徴により、折曲線３に略沿って、又は、フラップ２における折曲線３の近傍に折曲側破断線４を設け、他方面体１ｂにおけるフラップ２先端縁が重なる箇所と折曲側破断線４の間に先端側破断線５を設けることで、他方面体１ｂ（折曲側破断線４と先端側破断線５の間の一部等）をフラップ２に接着した場合に、フラップ２から開封した際には、開口Ｋ周辺におけるフラップ２や当該フラップ２に接着した部分も取り除くことが可能となり、特許文献１等とは異なり、開口Ｋから中身を取り出す際に、当該中身が、開口Ｋ周辺部に引っかかり難く、中身を取り出し易くなる（「中身の取出容易化」）。
これに加えて、特許文献１等とは異なり、先端側破断線５等がフラップ２に隠れて露出し難いため、封筒１の配送中に先端側破断線５等が破損し難くなり、開口Ｋが不本意に開くことを抑制できる（「不本意な開封の抑制」）。
尚、封筒１は、当該封筒１の受領者がハサミ等を使わずとも、破断線４、５を破断させるだけで開封できる（「易開封化の向上」が図れる）ことから、「易開封封筒」であるとも言える。そして、封筒１は、特許文献２とは異なり、クラフト紙等の紙質の弱い紙を用いた場合でも、折曲側破断線４と先端側破断線５の間の部分における一端部などのつまみ部が破れ難く、用いる素材を問わないため、余計な厚み増加がなくなり、ミシン目形成のみを行う工程等が不要となって、製造効率の向上やコスト低下も図れるとも言える。
【００１４】
又、折曲側破断線４と先端側破断線５の一端部同士を連結する一端側破断線６を設けることで、まず一端側破断線６を破断させることで、折曲側破断線４と先端側破断線５の間の部分における一端部を指でつまむことが出来（謂わば、当該一端部はつまみ部と言え）、このつまみ部をつまんで折曲側破断線４と先端側破断線５を同時に破断させられるため、更なる「易開封化の向上」が図れる。
一方、折曲側破断線４と先端側破断線５の他端部同士を連結する他端側破断線７を設けても良く、この場合にも、折曲側破断線４と先端側破断線５の間の部分における他端部が、つまみ部となって、更なる「易開封化の向上」が図れる。尚、封筒１が一端側破断線６と他端側破断線７の両方を有している場合等であれば、互いに接着されたフラップ２と他方面体１ｂを封筒１から分離できるとも言える。
【００１５】
更に、折曲側破断線４から一方面体１ａに亘る切込線８を設けても良く、この場合にも、切込線８と一方面体１ａの端縁の間の部分が、つまみ部となって、更なる「易開封化の向上」が図れる。
【００１６】
そして、他方面体１ｂにおける折曲線３に略沿った折曲側破断線４と先端側破断線５の間、又は、他方面体１ｂにおける折曲線３の近傍の折曲側破断線４が重なる箇所と先端側破断線５の間の少なくとも一部をフラップ２に接着して開口Ｋを塞ぐことで、フラップ２から開封した際には、開口Ｋ周辺におけるフラップ２や当該フラップ２に接着した部分も取り除くことが出来ると共に、折曲側破断線４周辺や、先端側破断線５周辺は、フラップ２とは接着され難く、破断線４、５を破断させる際に支障がなく、より開封し易い（更なる「易開封化の向上」）。
【発明の効果】
【００１７】
本発明に係る封筒によると、折曲線に略沿う等する折曲側破断線を設け、他方面体におけるフラップ先端縁が重なる箇所と折曲側破断線の間に先端側破断線を設けることによって、「中身の取出容易化」と「不本意な開封の抑制」などを実現できる。
【図面の簡単な説明】
【００１８】
【図１】本発明の第１実施形態に係る封筒の一方面体側を例示する図面代用写真である。
【図２】第１実施形態に係る封筒の他方面体側で、フラップと共に折曲側破断線と先端側破断線を破断させ、開封している状態を例示する図面代用拡大写真である。
【図３】第１実施形態に係る封筒を例示する図であって、（ａ）は封筒の展開図であり、（ｂ）はフラップ以外を接着した状態を示す図である。
【図４】本発明の第２実施形態に係る封筒の一方面体側を例示する図面代用写真である。
【図５】第２実施形態に係る封筒の他方面体側で、フラップと共に折曲側破断線と先端側破断線を破断させ、開封している状態を例示する図面代用拡大写真である。
【図６】本発明の第３実施形態に係る封筒の一方面体側の一部を例示する図面代用拡大写真である。
【図７】第３実施形態に係る封筒の他方面体側で、フラップと共に折曲側破断線と先端側破断線を破断させ、開封している状態を例示する図面代用拡大写真である。
【図８】第３実施形態に係る封筒を例示する展開図である。
【発明を実施するための形態】
【００１９】
以下、本発明の実施の形態を図面を参照して説明する。
＜第１実施形態に係る封筒１＞
図１〜３には、本発明の第１実施形態に係る封筒１が例示されている。
封筒１は、後述する一方面体１ａと他方面体１ｂで形成された封筒であり、当該封筒１における開口Ｋを塞ぐ後述のフラップ２を有している。
尚、第１実施形態に係る封筒１では、開口Ｋやフラップ２の封筒１における位置は、封筒１が正面視で略矩形状であれば、長手方向に沿った２つの端部（長手端部）の何れか一方であり、フラップ２の正面視における形状も、主に略矩形状として以下に述べる。
【００２０】
封筒１は、後述する折曲側破断線４と、先端側破断線５を有している。
その他、封筒１は、後述する一端側破断線６や他端側破断線７、切込線８等を有したり、その他方面体１ｂの折曲側破断線４と先端側破断線５の間の一部等がフラップ２に接着されていても良い。
【００２１】
封筒１は、塞がれていない（封をしていない）状態（後述する開口Ｋを有する状態）であったり、封筒１内に手紙などの中身が入った状態で塞がれた（封をした）状態（開口Ｋを有さない状態）である等、何れの状態でも良い。
尚、封筒１における開口Ｋは、封筒１内に中身を入れた後に、後述するフラップ２で塞ぎ、接着剤や接着テープなどの固着手段により、封をされても良い。
【００２２】
封筒１の形状も、特に限定はないが、例えば、正面視において、略矩形状や略正方形状であったり、略楕円形状や略円形状、略三角形状、略五角形状などの略多角形状などであっても良い。
以下、封筒１の正面視における形状は、主に略矩形状であるとして述べる。
正面視で略矩形状等の封筒１における角部も、特に限定はないが、例えば、丸かったり、角が略直線状に切られていたり、角部を略直線状に切られて出来た角を更に丸くしたものであっても良い。
【００２３】
正面視で略矩形状等の封筒１の大きさも、特に限定はないが、例えば、正面視における形状が略矩形状であるならば、長手方向長さが１８０ｍｍ以上３６０ｍｍ以下、好ましくは１９０ｍｍ以上３５０ｍｍ以下、更に好ましくは２００ｍｍ以上３４０ｍｍ以下であったり、短手方向長さが６０ｍｍ以上１７０ｍｍ以下、好ましくは７０ｍｍ以上１６０ｍｍ以下、更に好ましくは８０ｍｍ以上１５０ｍｍ以下（２３５ｍｍ×１２０ｍｍや、２２５ｍｍ×９０ｍｍ、２０５ｍｍ×９０ｍｍ、３３２ｍｍ×１４２ｍｍや、２７７ｍｍ×１１９ｍｍ、２２０ｍｍ×１１０ｍｍなど）であっても良い。
又、正面視で略矩形状の封筒１の大きさは、例えば、長手方向長さが１７０ｍｍ以上４１０ｍｍ以下、好ましくは１８０ｍｍ以上４００ｍｍ以下、更に好ましくは１９０ｍｍ以上３９０ｍｍ以下であったり、短手方向長さが９０ｍｍ以上３２０ｍｍ以下、好ましくは１００ｍｍ以上３１０ｍｍ以下、更に好ましくは１１０ｍｍ以上３００ｍｍ以下（３３２ｍｍ×２４０ｍｍや、３８２ｍｍ×２８７ｍｍ、３８２ｍｍ×２７０ｍｍ、２７７ｍｍ×２１６ｍｍや、２６７ｍｍ×１９７ｍｍ、２４０ｍｍ×１９０ｍｍ、２２９ｍｍ×１６２ｍｍ、２０５ｍｍ×１４２ｍｍ、１９７ｍｍ×１１９ｍｍなど）であっても良い。
その他、正面視で略矩形状の封筒１の大きさは、例えば、長手方向長さが１２０ｍｍ以上２６０ｍｍ以下、好ましくは１３０ｍｍ以上２５０ｍｍ以下、更に好ましくは１４０ｍｍ以上２４０ｍｍ以下であったり、短手方向長さが５５ｍｍ以上１５０ｍｍ以下、好ましくは６５ｍｍ以上１４０ｍｍ以下、更に好ましくは７５ｍｍ以上１３０ｍｍ以下（１６２ｍｍ×１１４ｍｍや、２３５ｍｍ×１２０ｍｍ、１７６ｍｍ×１２０ｍｍ、１４８ｍｍ×９８ｍｍや、２３５ｍｍ×１０５ｍｍ、２１７ｍｍ×９５ｍｍ、１９０ｍｍ×９８ｍｍ、１６５ｍｍ×９２ｍｍなど）であっても良い。
【００２４】
封筒１の厚さ（中身を入れていない封筒１の側面視における幅とも言え、後述する一方面体１ａと他方面体１ｂそれぞれの厚さ等を足した値であるとも言える）も、特に限定はないが、例えば、０．０２ｍｍ以上２．００ｍｍ以下（２０μｍ以上２０００μｍ以下）、好ましくは０．１０ｍｍ以上１．５０ｍｍ以下（１００μｍ以上１５００μｍ以下）、更に好ましくは０．２０ｍｍ以上１．００ｍｍ以下（２００μｍ以上１０００μｍ以下）であっても良い。
【００２５】
その他、封筒１の構成も、特に限定はないが、例えば、封筒１は、下方マチ（底マチ）、側方マチ（横マチ）などを有する構成であっても良い。
封筒１は、所望により、消臭剤、抗菌剤、防カビ剤、香料等を添加した素材を用いても良い。
【００２６】
封筒１の色彩についても、赤色系、橙色系、黄色系、緑色系、青色系、紫色系、黒色系、白色系など何れの色調でも良く、色調の数や、彩度や明度についても何れの値でも構わない。
封筒１に表示された文字、図柄も、その有無や、色彩、数、デザインなど特に限定はなく、何れであっても良い。
【００２７】
＜一方面体１ａ、他方面体１ｂ＞
図１〜３に示したように、一方面体１ａと他方面体１ｂは、上述した封筒１を形成する面体であり、それぞれの面体は、シート状物であるとも言える。
尚、一方面体１ａは表面体１ａであるとも言え、他方面体１ｂは裏面体１ｂであるとも言える。
【００２８】
一方面体１ａと他方面体１ｂは、それらの面体の端部同士が連結して袋状（封筒状）に形成されていれば、何れの構成であっても良いが、１つの封筒１を形成する面体の枚数は問わず、例えば、１枚の面体で袋状に形成（例えば、１枚の面体で、封筒１の一方面体１ａや他方面体１ｂ、フラップ２等を形成）されていたり、２枚の面体で袋状に形成（例えば、２枚の面体のうち、１枚の面体で封筒１の一方面体１ａやフラップ２等を形成し、もう１枚の面体で封筒１の他方面体１ｂを形成）されていたり、３枚の面体で袋状に形成（例えば、３枚の面体のうち、１枚の面体で封筒１の一方面体１ａを形成し、他の１枚の面体で封筒１の他方面体１ｂを形成し、更に他の１枚の面体で封筒１のフラップ２を形成等）されていたり、４枚以上の面体で袋状に形成されていても良い。
以下、封筒１における面体の枚数は、主に１枚であるとして述べる。
【００２９】
図３（ａ）の展開図にて、１つの封筒１における一方面体１ａや他方面体１ｂが１枚の面体で構成されている場合の１つを詳解すれば、１枚の面体を略２等分する折り目に沿って２つ折りにして、１枚の面体の半分を封筒１の一方面体１ａとし、もう半分を封筒１の他方面体１ｂとして、フラップ２や折曲線３と開口Ｋ以外の２方向の端部を、略台形状等の舌片（のりしろ部分とも言える）などを介して接着させても良い。
又、１つの封筒１における一方面体１ａや他方面体１ｂが１枚の面体で構成されている場合としては、封筒１が正面視で略矩形状であれば、１枚の面体を背貼りする（ピロー形状（合掌式）とする、又は、形成した後の封筒１において他方面体１ｂ側の左右方向略中央となる部分を連結する）等であっても良く、詳解すれば、１枚の面体が筒状となるように、ある端部と当該端部に正対する端部を略矩形状等の舌片（これものりしろ部分と言える）などを介し連結し、その連結部分を挟んだ筒側面の周方向における所定距離部分が封筒１の他方面体１ｂとなり、その他方面体１ｂ以外の部分が封筒１の一方面体１ａとなり、当該一方面体１ａのフラップ２や折曲線３と開口Ｋ以外の１方向の端部を、略台形状等の舌片などを介して接着させても良い。
【００３０】
この他、面体が２枚で１つの封筒１を構成している場合、封筒１が正面視で略矩形状であれば、略同じ形状・大きさの２枚の面体を重ね合わせて封筒１の一方面体１ａと他方面体１ｂを形成し、開口Ｋ以外の３方向の端部を略台形状等の舌片などを介して連結させても良い。
面体が３枚で１つの封筒１を構成している場合、封筒１が正面視で略矩形状であれば、３枚の面体のうち、略同じ形状・大きさの２枚の面体を重ね合わせて封筒１の一方面体１ａと他方面体１ｂを形成し、開口Ｋ以外の３方向の端部を略台形状等の舌片などを介して連結させ、一方面体１ａにおいて開口Ｋがある方向の端部に、略台形状等の舌片などを介してフラップ２を連結させても良い。尚、面体が４枚以上で１つの封筒１を構成している場合、封筒１が正面視で略矩形状であれば、例えば、４枚以上の面体のうち、３枚の面体で、上述したように、封筒１の一方面体１ａや他方面体１ｂ、フラップ２を形成し、その他の面体で封筒１の底マチや側方マチ等を形成しても良い。
【００３１】
一方面体１ａと他方面体１ｂの形状については、上述した封筒１の形状と同様である。
一方面体１ａと他方面体１ｂそれぞれの厚さは、特に限定はないが、上述した封筒１の厚さの略半分であるとも言え、例えば、例えば、０．０１ｍｍ以上１．００ｍｍ以下（１０μｍ以上１０００μｍ以下）、好ましくは０．０５ｍｍ以上０．７５ｍｍ以下（５０μｍ以上７５０μｍ以下）、更に好ましくは０．１０ｍｍ以上０．５０ｍｍ以下（１００μｍ以上５００μｍ以下）であっても良い。
【００３２】
一方面体１ａと他方面体１ｂそれぞれの素材も、特に限定はないが、例えば、クラフト紙や、ケント紙、上質紙、薄葉紙、レーヨン紙、化繊紙、奉書紙などの紙類であったり、ポリプロピレン（ＰＰ）樹脂やポリエチレン（ＰＥ）樹脂、ポリエチレンテレフタラート（ＰＥＴ）樹脂、ポリアミド樹脂（ナイロン６（ＯＮｙ）樹脂）等の合成樹脂であっても良い。
ここまで述べた一方面体１ａや他方面体１ｂ等で形成された封筒１について、当該封筒１における開口Ｋを以下に述べる。
【００３３】
＜開口Ｋ＞
図１〜３に示したように、開口Ｋは、封筒１における開口Ｋであって、封筒１の端部に位置していれば、上述した一方面体１ａの一端縁（又は、後述するフラップの先端縁）と、他方面体１ｂの一端縁の間に存在すると言える。
この開口Ｋの封筒１における位置は、特に限定はないが、例えば、封筒１が正面視で略矩形状であれば、長手方向に沿った２つの端部（長手端部）の何れか一方（第１、３実施形態）であったり、短手方向に沿った２つの端部（短手端部）の何れか一方（第２実施形態）であっても良い。
【００３４】
開口Ｋの形状も、特に限定はないが、例えば、当該開口Ｋを挟む他方面体１ｂの一端縁は、浅い略三角形状に切り欠かれていても良く、逆に、この浅い略三角形状の切欠がなく、他方面体１ｂの一端縁が略平坦であっても構わない。
一方、当該開口Ｋを挟む一方面体１ａの一端縁（又は、フラップの先端縁）は、略平坦であっても良い。
ここまで述べた開口Ｋを塞ぐフラップ２について、以下に述べる。
【００３５】
＜フラップ２＞
図１〜３で示したように、フラップ２は、上述した開口Ｋを塞ぐ舌片状の部分であり、上述した一方面体１ａの端縁に折曲自在に設けられている。
フラップ２の封筒１における位置は、上述した開口Ｋが存在する側の端縁であって、例えば、封筒１が正面視で略矩形状であれば、開口Ｋと同様に、長手方向に沿った２つの端部（長手端部）の何れか一方（第１、３実施形態）であったり、短手方向に沿った２つの端部（短手端部）の何れか一方（第２実施形態）となる。
【００３６】
フラップ２の正面視における形状は、特に限定はないが、略矩形状や、略台形状であったり、その他、略正方形状や略半楕円形状、略半円状、略三角形状、略五角形状などの略多角形状であっても良い。
以下、フラップ２の正面視における形状は、主に略矩形状や略台形状であるとして述べる。
【００３７】
正面視で略矩形状や略台形状等のフラップ２における角部も、特に限定はないが、例えば、丸かったり、角が略直線状に切られていたり、角部を略直線状に切られて出来た角を更に丸くしたものであっても良い。
正面視で略矩形状や略台形状等のフラップ２における端縁のうち、何れの端縁が、上述した略矩形状等の一方面体１ａの端縁に折曲自在に設けられていても良いが、フラップ２が正面視で略矩形状であれば、当該フラップ２の長手端縁の何れか一方が、下底（略台形状断面における一対の平行な辺（底）のうち、長い方の底）側の端縁が、フラップ２が正面視で略台形状であれば、当該フラップ２の下底側の端縁が、略矩形状等の一方面体１ａの端縁に折曲自在に設けられていても構わない。
【００３８】
フラップ２の幅は、当該フラップ２が正面視で略矩形状や略台形状であれば、その長手方向の長さであるとも言え、その値も、特に限定はないが、例えば、上述した正面視で略矩形状の封筒１（一方面体１ａ）の長手方向長さ、又は、短手方向長さと同様であっても良いが、その他、正面視で略矩形状封筒１の長手方向長さや短手方向長さより短くても構わない。尚、フラップ２の幅が封筒１の長手方向長さや短手方向長さより短い場合、フラップ２は、正面視で略矩形状や略台形状である封筒１の一方面体１ａにおける開口Ｋが存在する側の端縁の一部に対して、折曲自在に設けられていると言える。
フラップ２の長さは、当該フラップ２の先端縁から、後述する折曲線３までの長さであるとも言え、その値も、特に限定はないが、例えば、５ｍｍ以上５０ｍｍ以下、好ましくは１０ｍｍ以上４５ｍｍ以下、更に好ましくは１５０ｍｍ以上４０ｍｍ以下（３０ｍｍや、２５ｍｍ、２０ｍｍ、３８ｍｍ、３５ｍｍなど）であっても良い。
【００３９】
フラップ２の厚さは、上述した一方面体１ａや他方面体１ｂの厚さと同様である。
ここまで述べたフラップ２と一方面体１ａの間の折曲線３について、以下に述べる。
【００４０】
＜折曲線３＞
図１〜３に示したように、折曲線３は、上述したフラップ２と一方面体１ａの間に存在する線であり、この折曲線３に略沿って、フラップ２は一方面体１ａに対して折曲自在となっている。
折曲線３の長さは、上述したフラップ２の幅と同様であると言える。
【００４１】
詳解すれば、フラップ２の幅が、正面視で略矩形状の封筒１の長手方向長さ、又は、短手方向長さと同様である場合には、当然、折曲線３の長さは、正面視で略矩形状の封筒１の長手方向長さ、又は、短手方向長さと同様となる。
又、フラップ２の幅が、正面視で略矩形状の封筒１の長手方向長さ、又は、短手方向長さより短い場合には、折曲線３の長さは、フラップ２の幅と同様である。
【００４２】
＜折曲側破断線４＞
図１〜３に示したように、折曲側破断線４は、上述した折曲線３に略沿って設けられた破断線、又は、上述したフラップ２における折曲線３の近傍に設けられた破断線である。
尚、本発明における「破断線」とは、この破断線を挟んだ２つの部分のうち、一方の部分のみに、当該破断線の長さ方向に沿って、引っ張るなどの力をかけたり、当該２つの部分の両方に当該破断線の長さ方向に沿って、互いに逆に引っ張るどの力をかける等により、当該破断線が破断し、当該破断線を挟んだ２つの部分が、互いに切り離される線を意味し、具体的には、ミシン目（図３等参照）であったり、所定間隔で切り離された部分（線状部分や、略く字状部分（図８等参照）など）と連結したままの部分が繰り返されるなど、力をかけることで破断するのであれば、何れの構成であっても良い。
【００４３】
又、本発明における「折曲側破断線４が、折曲線３に略沿って設けられる」とは、文字通り、＜１＞折曲側破断線４が折曲線３に沿っている（折曲側破断線４が、折曲線３と重なっている）ケースの他、＜２＞折曲側破断線４全体が蛇行していたり、折曲側破断線４におけるが所定間隔ごとに一部が略三角形状等に曲がっているなど、折曲側破断線４が所定の幅を有する際に、折曲側破断線４の一部分が折曲線３に沿っているものの、折曲側破断線４の他の部分が折曲線３に沿っていない（折曲側破断線４の他の部分が、折曲線３から一方面体１ａ側、又は／及び、フラップ２側にはみ出している）場合において、折曲側破断線４のうち、折曲線３に沿っている部分の方が、折曲線３に沿っていない部分より大きい（広い、長い等の）ケースも含む。
更に、本発明における「折曲側破断線４が、フラップ２における折曲線３の近傍に設けられる」とは、上述した＜１＞、＜２＞のケースを除き、＜３＞折曲側破断線４全体が蛇行していたり、折曲側破断線４におけるが所定間隔ごとに一部が略三角形状等に曲がっているなど、折曲側破断線４が所定の幅を有する際に、折曲側破断線４の一部分が折曲線３に沿っているものの、折曲側破断線４の他の部分が折曲線３に沿っていない（折曲側破断線４の他の部分が、折曲線３から一方面体１ａ側、又は／及び、フラップ２側にはみ出している）場合において、折曲側破断線４のうち、折曲線３に沿っている部分の方が、折曲線３に沿っていない部分より小さい（狭い、短い等の）ケースや、＜４＞折曲側破断線４に折曲線３に沿っている部分がなく（折曲側破断線４に折曲線３と交差する部分はあっても良い）、折曲側破断線４全体（又は、大部分（折曲側破断線４のうち、フラップ２側の部分が一方面体１ａ側の部分より大きい））が、フラップ２における折曲線３から所定距離だけフラップ２の先端側に離れた位置に設けられているケースを含む。
【００４４】
ここで、本発明における「折曲線３から所定距離だけフラップ２の先端側に離れた位置」における「所定距離」とは、特に限定はないが、例えば、後述するフラップ２の長さ（当該フラップ２の先端縁から折曲線３までの長さ）の０倍より大きく１／２倍以下（つまり、少なくともフラップ２の折曲線３寄りの位置）、好ましくは０倍より大きく１／３倍以下、更に好ましくは１／１０倍以上１／４倍以下などであっても良い。
折曲側破断線４の長さは、折曲線３と略同じ長さでも良いが、折曲線３より短くても（折曲側破断線４が、折曲線３の一部に略沿っていたり、又は、フラップ２における折曲線３の一部の近傍に設けられていても）構わない。
【００４５】
折曲側破断線４は、折曲線３と略平行であっても良いが、略平行でなくとも良い。
詳解すれば、折曲側破断線４が折曲線３に略沿って設けられている場合には、当然に、折曲側破断線４は折曲線３と略平行であると言え、一方、折曲側破断線４がフラップ２側において折曲線３の近傍に設けられている場合には、折曲側破断線４が折曲線３の近傍で且つ折曲線３と略平行であったり、折曲側破断線４が折曲線３の近傍で且つ折曲線３と略平行でないと言える。
【００４６】
尚、本発明における「折曲側破断線４は、折曲線３と略平行である」とは、折曲側破断線４の長さ方向と折曲線３の長さ方向が、文字通り、平行である（折曲側破断線４の長さ方向と折曲線３の長さ方向の間の角度が０度である）場合だけでなく、折曲側破断線４の長さ方向と折曲線３の長さ方向が交差しているものの、折曲側破断線４の長さ方向と折曲線３の長さ方向の間の角度が所定角度（折曲側破断線４の長さ方向と折曲線３の長さ方向が互いに平行とみなせる角度であり、例えば、０°より大きく５°以下、好ましくは０°より大きく３°以下、より好ましくは０°より大きく１°以下など）以内である場合を含む。
【００４７】
＜先端側破断線５＞
図１〜３に示したように、先端側破断線５は、上述した他方面体１ｂにおける、当該他方面体１ｂに折り重なったフラップ２の先端縁が重なる箇所と、折曲側破断線４の間に設けられている破断線である。
尚、本発明における「他方面体１ｂに折り重なったフラップ２の先端縁が重なる箇所」とは、封筒１における開口Ｋを塞ぐフラップ２を、当該開口Ｋを塞ぐように、他方面体１ｂに折り重ねた際、他方面体１ｂにおいて、フラップ２の先端縁に重なる端縁状（略線状）の箇所を意味する。ここで、例えば、フラップ２が正面視で略矩形状であれば、フラップ２の先端縁とは、フラップ２の長手方向に沿った２つの端部（長手端部）のうち折曲線３ではない方となり、フラップ２が正面視で略矩形状であれば、フラップ２の先端縁とは、フラップ２の上底（略台形状断面における一対の平行な辺（底）のうち、短い方の底）となる。
【００４８】
又、本発明における「他方面体１ｂに折り重なったフラップ２の先端縁が重なる箇所と、折曲側破断線４の間」とは、他方面体１ｂにおいて、フラップ２の先端縁の長さ方向視及び／又は折曲側破断線４の長さ方向視で、当該フラップ２の先端縁が重なる箇所と折曲側破断線４との間に位置することを意味する。
例えば、フラップ２が正面視で略矩形状であれば、「他方面体１ｂに折り重なったフラップ２の先端縁が重なる箇所と、折曲側破断線４の間」とは、フラップ２の２つの長手端部のうち折曲線３ではない方と折曲側破断線４との間を意味し、フラップ２が正面視で略台形状であれば、「他方面体１ｂに折り重なったフラップ２の先端縁が重なる箇所と、折曲側破断線４の間」とは、フラップ２の上底と折曲側破断線４との間を意味する。
【００４９】
先端側破断線５は、当該フラップ２の先端縁が重なる箇所の長さや、折曲側破断線４、折曲線３の長さと略同じ長さであったり（上述したフラップ２が正面視で略矩形状の場合）、当該フラップ２の先端縁が重なる箇所の長さや、折曲側破断線４等の長さより長かったり（上述したフラップ２が正面視で略台形状の場合、先端側破断線５は、当該フラップ２の先端縁が重なる箇所であるフラップ２の上底より長い）、その他、当該フラップ２の先端縁が重なる箇所の長さや、折曲側破断線４等の長さより短くとも良い。
尚、先端側破断線５が当該フラップ２の先端縁が重なる箇所の長さや折曲側破断線４等の長さより長い場合（フラップ２が正面視で略台形状の場合など）、フラップ２で開口Ｋを塞いだ際、先端側破断線５の一部がフラップ２に隠れず露出するとも言えるが、先端側破断線５の大部分は、当然、フラップ２に隠れており、特許文献１のように、先端側破断線５が完全に露出した場合と比べて、封筒１の配送中に先端側破断線５等が破損し難くなり、「不本意な開封の抑制」を図れるとも言える。
【００５０】
先端側破断線５は、折曲側破断線４や折曲線３と略平行であっても良いが、略平行でなくとも良い。
尚、本発明における「先端側破断線５は、折曲側破断線４等と略平行である」とは、上述した折曲側破断線４と折曲線３と同様である。
【００５１】
＜一端側破断線６、他端側破断線７＞
図１〜３に示したように、一端側破断線６は、上述した折曲側破断線４の一端部と、上述した先端側破断線５の一端部の間を連結する破断線である。
尚、本発明における「一端側破断線６が折曲側破断線４の一端部と先端側破断線５の一端部の間を連結する」とは、一端側破断線６を挟んだ２つの部分のうち、一方の部分のみに、当該一端側破断線６の長さ方向に沿って、引っ張るなどの力をかけたり、当該２つの部分の両方に当該一端側破断線６の長さ方向に沿って、互いに逆に引っ張るどの力をかける等により、当該一端側破断線６が破断し、当該一端側破断線６を挟んだ２つの部分が、互いに切り離された結果、折曲側破断線４の一端部と先端側破断線５の一端部も破断することを意味し、具体的には、折曲側破断線４や先端側破断線５と同様のミシン目が一端側破断線６にも連続していたり、折曲側破断線４や先端側破断線５と同様に、一端側破断線６でも所定間隔で切り離された部分（線状部分や、略く字状部分など）と連結したままの部分が繰り返されるなど、一端側破断線６に力をかけることで、折曲側破断線４の一端部と先端側破断線５の一端部も連なって破断するのであれば、何れの構成であっても良い。
【００５２】
一端側破断線６は、折曲側破断線４の一端部と先端側破断線５の一端部の間を連結するのであれば、一端側破断線６は、折曲側破断線４や先端側破断線５と略直交であったり、略直交でなくとも良い。
尚、本発明における「一端側破断線６が折曲側破断線４や先端側破断線５と略直交である」とは、一端側破断線６の長さ方向と、折曲側破断線４の長さ方向及び／又は先端側破断線５の長さ方向が、文字通り、直交である（一端側破断線６の長さ方向と、折曲側破断線４の長さ方向及び／又は先端側破断線５の長さ方向の間の角度それぞれが９０度である）場合だけでなく、一端側破断線６の長さ方向と、折曲側破断線４の長さ方向及び／又は先端側破断線５の長さ方向の間の角度それぞれが所定角度（一端側破断線６の長さ方向と、折曲側破断線４の長さ方向及び／又は先端側破断線５の長さ方向が互いに直交とみなせる角度であり、例えば、８５°以上９０°より小さい、好ましくは８７°以上９０°より小さい、より好ましくは８９°以上９０°より小さいなど）以内である場合を含む。
【００５３】
図１〜３に示したように、他端側破断線７は、上述した折曲側破断線４の他端部と、上述した先端側破断線５の他端部の間を連結する破断線である。
尚、本発明における「他端側破断線７が折曲側破断線４の他端部と先端側破断線５の他端部の間を連結する」とは、上述した一端側破断線６と、折曲側破断線４の一端部と先端側破断線５の一端部の連結と同様である。
【００５４】
他端側破断線７は、折曲側破断線４の他端部と先端側破断線５の他端部の間を連結するのであれば、他端側破断線７も、折曲側破断線４や先端側破断線５と略直交であったり、略直交でなくとも良い。
尚、本発明における「他端側破断線７が折曲側破断線４や先端側破断線５と略直交である」とは、一端側破断線６と、折曲側破断線４や先端側破断線５との略直交と同様である。
【００５５】
＜接着部１０など＞
図１〜３に示したように、封筒１は、上述した他方面体１ｂにおける折曲側破断線４等と先端側破断線５の間の少なくとも一部が、上述したフラップ２に接着されて、開口Ｋを塞いでいても良い。
ここで、本発明における「他方面体１ｂにおける折曲側破断線４等と先端側破断線５の間」とは、他方面体１ｂにおける折曲線３に略沿った折曲側破断線４と先端側破断線５の間であるか、又は、他方面体１ｂにおける、当該他方面体１ｂに折り重なったフラップ２の折曲線３の近傍の折曲側破断線４が重なる箇所と先端側破断線５の間である。
【００５６】
又、本発明における「折曲側破断線４等と先端側破断線５の間の少なくとも一部」とは、折曲側破断線４等と先端側破断線５の間の一部として折曲側破断線４等の一端部と先端側破断線５の一端部の間の部分や、折曲側破断線４等の長さ方向の略中央部と先端側破断線５の長さ方向の略中央部の間の部分、折曲側破断線４等の一端部と先端側破断線５の一端部の間の部分、これらの組合せであったり、折曲側破断線４等と先端側破断線５の間において、折曲側破断線４等寄りの部分や、先端側破断線５寄りの部分、折曲側破断線４等と先端側破断線５の間の略中間の部分（それぞれの長さ方向と直交する方向における略中央の部分、これらの組合せなど）であっても良く、その他、折曲側破断線４等と先端側破断線５の間の部分全体でも構わない。
【００５７】
他方面体１ｂにおける折曲側破断線４等と先端側破断線５の間の少なくとも一部がフラップ２に接着される具体的な構成は、特に限定はないが、例えば、他方面体１ｂ側又は／及びフラップ２側に事前に設けられた接着部１０であっても良い（図３（ａ）、（ｂ）では、接着部１０は、フラップ２側に設けられている）。
接着部１０の設けられる位置について詳解すれば、他方面体１ｂにおける折曲線３に略沿った折曲側破断線４と先端側破断線５の間における他方面体１ｂ側、又は／及び、当該他方面体１ｂに折り重なったフラップ２側であるか、又は、他方面体１ｂにおける、当該他方面体１ｂに折り重なったフラップ２の折曲線３の近傍の折曲側破断線４が重なる箇所と先端側破断線５の間における他方面体１ｂ側、又は／及び、当該他方面体１ｂに折り重なったフラップ２側である。
【００５８】
このような接着部１０は、糊等の接着剤が事前に付着している部分であり、この部分に水等をつけて（切手等のように）、他方面体１ｂにおける折曲側破断線４等と先端側破断線５の間の少なくとも一部とフラップ２を接着して、開口Ｋを塞いでも良い。
接着部１０は、剥離シールに覆われていても良く、当該剥離シールを剥がしてから、他方面体１ｂにおける折曲側破断線４等と先端側破断線５の間の少なくとも一部とフラップ２を接着して、開口Ｋを塞いでも良い。
【００５９】
＜第２実施形態の封筒１＞
図４、５は、本発明の第２実施形態に係る封筒１を示している。
この第２実施形態において第１実施形態と最も異なるのは、開口Ｋやフラップ２の封筒１における位置が、封筒１が正面視で略矩形状であれば、短手方向に沿った２つの端部（短手端部）の何れか一方である点である。
【００６０】
第２実施形態では、厳密には、フラップ２の正面視における形状も、略台形状となっている点も、第１実施形態と異なっている。
その他の封筒１の構成、作用効果や使用態様は、第１実施形態と同様である。
【００６１】
＜第３実施形態の封筒１＞
図６〜８は、本発明の第３実施形態に係る封筒１を示している。
この第３実施形態において第１、２実施形態と最も異なるのは、後述する切込線８を有している点である。
【００６２】
＜切込線８＞
図６〜８に示したように、切込線８は、上述した折曲側破断線４から一方面体１ａに亘る切込線である。ここで、図６、７で例示した封筒１は正面視で略正方形状又は略矩形状であり、図８で例示した封筒１は正面視で略矩形状である。
尚、本発明における「切込線」とは、当該線を挟んだ２つの部分を切り離すように、線状に切れ込んだ部分を意味する。
【００６３】
又、本発明における「折曲側破断線４から一方面体１ａに亘る」とは、折曲側破断線４が折曲線３に略沿って設けられている場合には、折曲側破断線４のうち折曲線３に沿っている（重なっている）部分又は折曲側破断線４のうち折曲線３に沿っていない（折曲線３からはみ出している）部分から、一方面体１ａまでに亘って切り込まれていることを意味し、折曲側破断線４がフラップ２における折曲線３の近傍に設けられている場合には、折曲側破断線４のうち折曲線３に沿っている（重なっている）部分、折曲側破断線４のうち折曲線３に沿っていない（折曲線３からはみ出している）部分又はフラップ２における折曲線３から所定距離だけフラップ２の先端側に離れた位置に設けられた折曲側破断線４から、フラップ２を通り、一方面体１ａまでに亘って切り込まれていることを意味する。
ここで、折曲側破断線４は、破断線であるため、切り離された部分と連結したままの部分を有するが、切込線８は、折曲側破断線４のうち、切り離された部分から一方面体１ａに亘っていたり、逆に、連結したままの部分から一方面体１ａに亘っていても良い。
【００６４】
切込線８の一方面体１ａにおける端の位置や向き（角度）、長さは、特に限定はないが、例えば、切込線８の折曲側破断線４寄りの一端は、折曲側破断線４（折曲線３）の一端（又は他端）から所定距離の位置であっても良く、この当該所定距離の位置から、折曲線３の一端までの線分においては、折曲側破断線４が存在せずとも構わない。
切込線８の一方面体１ａにおける向きとしては、例えば、当該所定距離の位置から一方面体１ａの端縁に近接する向きに（封筒１の長手方向や短手方向に対し斜めに）延びていても良く、切込線８の一方面体１ａにおける長さとしては、例えば、当該所定距離の位置から一方面体１ａの端縁までの長さであったり、当該所定距離の位置から一方面体１ａの端縁に近接するように延びるものの、一方面体１ａの端縁までには届かない長さであっても構わない。
切込線８の本数も、特に限定はないが、例えば、１本であったり、２本や３本以上等の複数本であっても良く、切込線８が複数本である場合、複数本の切込線８のうち少なくとも２本が略平行であったり、略平行でなかったり、複数本の切込線８が略互い違い状に配置されている等であっても構わない。又、切込線８それぞれの形状も、特に限定はないが、例えば、略直線状であったり、カーブ状である（湾曲している）等の他、略Ｚ字状や略Ｓ字状などであっても良い。
その他の封筒１の構成、作用効果や使用態様は、第１、２実施形態と同様である。
【００６５】
＜その他＞
本発明は、前述した実施形態に限定されるものではない。封筒１等の各構成又は全体の構造、形状、寸法などは、本発明の趣旨に沿って適宜変更することが出来る。
封筒１は、一端側破断線６や他端側破断線７を有していなくとも良く、この場合、例えば、折曲側破断線４と先端側破断線５が略三角形状（略Ｖ字状）に設けられていても構わない。又、この場合、折曲側破断線４と先端側破断線５が略三角形状に設けられた部分における当該略三角形状の先端部分をつまみ部としても良い。
【００６６】
封筒１は、切込線８を有していなくとも良く、又、切込線８と略同じ位置に、切込線８の代わりに、破断線（謂わば、一方面体側破断線）を有していても構わない。
封筒１は、当該封筒１を形成する一方面体１ａや他方面体１ｂを構成する面体におけるのりしろ部分に破断線（のりしろ先端側破断線５’等）を有していても良く、（図３（ａ）、８参照）又、のりしろ部分における角部も丸くしたものでも構わない（図８参照）。
封筒１は、一方面体１ａ側に切欠部２０（例えば、正面視で略矩形状の封筒１の一方面体１ａにおける角部を略三角形状に切り欠いた切欠部２０など）を有していても良い（図１、２参照）。
【００６７】
封筒１は、折曲側破断線４等と先端側破断線５の間の少なくとも一部をフラップ２に接着して、開口Ｋを塞がなくとも良く、フラップ２の他方面体１ｂ側の全面を、当該他方面体１ｂに接着させたり、フラップ２と他方面体１ｂにおける折曲側破断線４等や先端側破断線５の少なくとも一方にかかる範囲を接着させたり、逆に、フラップ２と他方面体１ｂにおける折曲側破断線４等のより折曲線３側や、先端側破断線５のよりフラップ２の先端側などを接着させても構わない。
封筒１は、接着部１０を有していなくとも良く、フラップ２の他方面体１ｂ側への接着は、開口Ｋを塞ぐ際に、フラップに糊（のり）等の接着剤を塗布しても良く、その他、粘着テープ等の別の固着手段によって、フラップ２で開口Ｋを塞いでも構わない。
【産業上の利用可能性】
【００６８】
本発明に係る封筒は、当該袋体内に、手紙や書面であったり、硬貨や紙幣、金券などであったり、ＵＳＢやＤＶＤ、ＣＤ等の記憶媒体であったり、書籍や小物などの商品などを入れるものとして利用可能である。
【符号の説明】
【００６９】
１        封筒
１ａ      封筒の一方面体
１ｂ      封筒の他方面体
２        フラップ
３        折曲線
４        折曲側破断線
５        先端側破断線
６        一端側破断線
７        他端側破断線
８        切込線
Ｋ        開口
【要約】
【課題】折曲線に略沿う等する折曲側破断線を設け、他方面体におけるフラップ先端縁が重なる箇所と折曲側破断線の間に先端側破断線を設けて、「中身の取出容易化」と「不本意な開封の抑制」などを実現する。
【解決手段】一方面体１ａと他方面体１ｂで形成され、一方面体１ａの端縁に折曲自在に設けられたフラップ２で開口Ｋを塞ぐ封筒１である。一方面体１ａとフラップ２の間の折曲線３に略沿う等する折曲側破断線４を設け、他方面体１ｂにおけるフラップ２の先端縁が重なる箇所と折曲側破断線４の間に先端側破断線５を設ける。又、折曲側破断線４と先端側破断線５の一端部同士を連結する一端側破断線６や、折曲側破断線４と先端側破断線５の他端部同士を連結する他端側破断線７、折曲側破断線４から一方面体１ａに亘る切込線８を設けたり、他方面体１ｂの折曲側破断線４等と先端側破断線５の間をフラップ２に接着して開口Ｋを塞いでも良い。
【選択図】図２【図１】
0006813252.tif 000002
【図２】
0006813252.tif 000003
【図３】
0006813252.tif 000004
【図４】
0006813252.tif 000005
【図５】
0006813252.tif 000006
【図６】
0006813252.tif 000007
【図７】
0006813252.tif 000008
【図８】
0006813252.tif 000009